(57)【特許請求の範囲】
【請求項１】
積層ゴム免震支承装置を基礎又は構造物に取り付けるための取付構造であって、積層ゴム免震支承装置の一方の端面に固着された一方の円盤状の取付板と、積層ゴム免震支承装置の一方の端面の外縁よりも外側で同一円周上に配された複数のボルトを介して一方の取付板に固着されていると共にこの一方の取付板に固着されている部位よりも内側において積層ゴム免震支承装置の一方の端面に対面する基礎又は構造物の取付面に同一円周上に配された複数のボルトを介して固着されている他方の円盤状の取付板とを具備しており、積層ゴム免震支承装置は、粘弾性層と剛性層とが互いに加硫接着されて交互に積層されている積層ゴムを有しており、積層ゴムの一方の端面の外縁の内側で当該積層ゴムの一方の端面の剛性層に螺着されたボルトを介して積層ゴムの一方の端面の外縁の内側で当該積層ゴムの一方の端面に固着されている一方の取付板は、積層ゴム免震支承装置の一方の端面及び他方の取付板への夫々の固着部を除く部位で他方の取付板から離反できるように、当該他方の取付板に当該固着部で固着されており、他方の取付板は、基礎又は構造物の取付面及び一方の取付板への夫々の固着部を除く部位で基礎又は構造物の取付面から離反できるように、当該基礎又は構造物の取付面に当該固着部で固着されている積層ゴム免震支承装置の取付構造。
【請求項２】
他方の取付板は、アンカーボルトを介して基礎又は構造物の取付面に固着されている請求項１に記載の積層ゴム免震支承装置の取付構造。
【請求項３】
他方の取付板は、積層ゴム免震支承装置の一方の端面の外縁の内側で基礎又は構造物の取付面に固着されている請求項１又は２に記載の積層ゴム免震支承装置の取付構造。
【請求項４】
積層ゴムは、積層方向に伸びた少なくとも一つの円柱状の中空部を有しており、積層ゴム免震支承装置は、積層ゴムの中空部に充填された鉛プラグを有している請求項１から３のいずれか一項に記載の積層ゴム免震支承装置の取付構造。
【請求項５】
一方の取付板は、積層ゴムの一方の端面の粘弾性層への加硫接着を介して積層ゴム免震支承装置の一方の端面に固着されている請求項１から４のいずれか一項に記載の積層ゴム免震支承装置の取付構造。
【請求項６】
積層ゴム免震支承装置は、その他方の端面に固着された更に他の取付板を介して構造物又は基礎の取付面に固着されている請求項１から５のいずれか一項に記載の積層ゴム免震支承装置の取付構造。
【請求項７】
他の取付板は、ボルト又は加硫接着を介して積層ゴム免震支承装置の他方の端面に固着されている請求項６に記載の積層ゴム免震支承装置の取付構造。
【発明の詳細な説明】
【技術分野】
【０００１】
本発明は、構造物を免震支持する積層ゴム免震支承装置を基礎又は構造物に取り付けるための取付構造に関する。
【背景技術】
【０００２】
【特許文献１】特開平１０−３０６６１６号公報
【特許文献２】特開平１０−３１７７１５号公報
【特許文献３】特開平１１−１５３１９１号公報
【特許文献４】特開平１１−１８２０９１号公報
【特許文献５】特開２００１−９８７９０号公報
【特許文献６】特開２００１−１２４１４２号公報
【０００３】
粘弾性層と剛性層とを互いに加硫接着して交互に積層してなる積層ゴム免震支承装置は、基礎と構造物との間に介装されて地震等による基礎の振動に対して構造物の振動を免震し構造物の損壊を防止する。
【０００４】
積層ゴム免震支承装置は、構造物の鉛直方向の荷重に対しては剛性を示し地震等による基礎の水平方向の振動に対しては弾性を示すようになっている結果、構造物を支持できて上述の通りの免震効果を発揮できるが、粘弾性層と剛性層とを互いに加硫接着してなる積層ゴムを用いるものであるから鉛直方向の引張り力に対してはそれ程大きな抵抗力を有していない。
【０００５】
ところで、近年で益々多く建築される超高層建物にも免震支承装置が用いられているが、超高層建物のアスペクト比（塔状比）が大きくなると、地震、風等による超高層建物の振動、横揺れの際に免震支承装置に大きな鉛直方向の引張り力が作用する場合があり、斯かる大きな鉛直方向の引張り力を生じさせる超高層建物に対して積層ゴム免震支承装置を用いるとその積層ゴムに損壊が生じたり粘弾性層にボイド等の内部欠陥が生じて免震機能が得られなくなる虞がある。
【０００６】
以上の問題点を解決しようとして特許文献１から６に記載の技術が提案されているが、いずれも構造が複雑であってコストアップを招来し取付構造としてそれ程満足し得るものではない。
【発明の開示】
【発明が解決しようとする課題】
【０００７】
本発明は、前記諸点に鑑みてなされたものであって、その目的とするところは、積層ゴム免震支承装置へ大きな鉛直方向の引張り力が作用することを防止できて大きな鉛直方向の引張り力に起因する積層ゴム免震支承装置の損壊の虞をなくし得、而して、アスペクト比の大きい構造物にも積層ゴム免震支承装置を用いることができる上に、構造が簡単であって安価に構成し得る積層ゴム免震支承装置の取付構造を提供することにある。
【課題を解決するための手段】
【０００８】
積層ゴム免震支承装置を基礎又は構造物に取り付けるための本発明の第一の態様の積層ゴム免震支承装置の取付構造は、積層ゴム免震支承装置の一方の端面に固着された一方の取付板と、積層ゴム免震支承装置の一方の端面の外縁よりも外側で一方の取付板に固着されていると共にこの一方の取付板に固着されている部位よりも内側において積層ゴム免震支承装置の一方の端面に対面する基礎又は構造物の取付面に固着されている他方の取付板とを具備している。
【０００９】
第一の態様の取付構造によれば、積層ゴム免震支承装置の一方の端面の外縁よりも外側で一方の取付板に固着されている他方の取付板が一方の取付板に固着されている部位よりも内側において積層ゴム免震支承装置の一方の端面に対面する基礎又は構造物の取付面に固着されている結果、大きな力で構造物が基礎から離反するように浮き上がる際に、両取付板の相互の固着部位が上方に移動できるため、取付板の曲げ剛性を利用し得て、一方の取付板における積層ゴム免震支承装置の一方の端面への固着部位と他方の取付板への固着部位との間の部分及び他方の取付板における基礎又は構造物の取付面への固着部位と一方の取付板への固着部位との間の部分のうちの少なくとも一方の部分に容易に変形を生じさせることができ、而して、この変形により積層ゴム免震支承装置へ大きな鉛直方向の引張り力が作用することを防止でき、しかも、大きな鉛直方向の引張り力の積層ゴム免震支承装置への作用を重ね合わされた取付板でもって防止できる結果、構造が簡単であって安価に構成し得る。
【００１０】
本発明の取付構造は、重ね合わされた二枚の取付板をもって構成できるのであるが、三枚以上の取付板を重ね合わせて構成してもよく、また積層ゴム免震支承装置の一方の端面を例えば基礎に取り付けるために本発明の取付構造を適用する場合に、積層ゴム免震支承装置の他方の端面を構造物に取り付けるためにも本発明の取付構造を適用してもよく、この逆に、積層ゴム免震支承装置の一方の端面を例えば構造物に取り付けるために本発明の取付構造を適用する場合に、積層ゴム免震支承装置の他方の端面を基礎に取り付けるためにも本発明の取付構造を適用してもよい。
【００１１】
一方の取付板は、本発明の第二の態様の取付構造のようにボルトを介して積層ゴム免震支承装置の一方の端面に固着されていても、これと共に又はこれに代えて、本発明の第三の態様の取付構造のように積層ゴム免震支承装置の一方の端面に加硫接着されて固着されていてもよい。また一方の取付板は、本発明の第四の態様の取付構造のように、積層ゴム免震支承装置の一方の端面の外縁の内側で当該積層ゴム免震支承装置の一方の端面に固着され、本発明の第五の態様の取付構造のように、積層ゴム免震支承装置に一定以上の積層方向の引張り力が加えられようとする場合、積層ゴム免震支承装置の一方の端面及び他方の取付板への夫々の固着部を除く部位で変形を生じて他方の取付板から離反するような剛性を有しているとよい。
【００１２】
他方の取付板は、本発明の第六の態様の取付構造のようにアンカーボルトを介して基礎又は構造物の取付面に固着されていてもよく、また本発明の第七の態様の取付構造のように積層ゴム免震支承装置の一方の端面の外縁の内側で基礎又は構造物の取付面に固着されているとよい。他方の取付板もまた、本発明の第八の態様の取付構造のように、積層ゴム免震支承装置に一定以上の積層方向の引張り力が加えられようとする場合、基礎又は構造物の取付面及び一方の取付板への夫々の固着部を除く部位で変形を生じて基礎又は構造物の取付面から離反するような剛性を有しているとよい。
【００１３】
両取付板の変形は弾性変形であることが好ましいが多少の塑性変形があってもよく、また両取付板の積層方向の剛性は互いに等しく又は異なっていてもよい。
【００１４】
積層ゴム免震支承装置は、好ましい例では本発明の第九の態様の取付構造のように粘弾性層と剛性層とが互いに加硫接着されて交互に積層されている積層ゴムを有しており、好ましい他の例では本発明の第十の態様の取付構造のように粘弾性層と剛性層とが互いに加硫接着されて交互に積層されていると共に積層方向に伸びた少なくとも一つの円柱状の中空部を有した積層ゴムと、この積層ゴムの中空部に充填された鉛プラグとを有しており、これらの態様の場合、一方の取付板は、本発明の第十一の態様の取付構造のように積層ゴムの一方の端面の剛性層、好ましくは厚肉剛性層に螺着されたボルトを介して積層ゴム免震支承装置の一方の端面に固着されていても、本発明の第十二の態様の取付構造のように積層ゴムの一方の端面の粘弾性層への加硫接着を介して積層ゴム免震支承装置の一方の端面に固着されていてもよい。
【００１５】
積層ゴム免震支承装置は、本発明の第十三の態様の取付構造のようにその他方の端面に固着された更に他の取付板を介して構造物又は基礎の取付面に固着されており、斯かる他の取付板は、本発明の第十四の態様の取付構造のようにボルト又は加硫接着を介して積層ゴム免震支承装置の他方の端面に固着されているとよく、ここで、第九又は第十の態様の取付構造のように粘弾性層と剛性層とを互いに加硫接着して交互に積層してなる積層ゴムを積層ゴム免震支承装置が有している場合には、他の取付板は、積層ゴムの他方の端面の剛性層、好ましくは厚肉剛性層に螺着されたボルトを介して積層ゴム免震支承装置の他方の端面に固着されていても、積層ゴムの他方の端面の粘弾性層への加硫接着を介して積層ゴム免震支承装置の他方の端面に固着されていてもよい。
【発明の効果】
【００１６】
本発明によれば、積層ゴム免震支承装置へ大きな鉛直方向の引張り力が作用することを防止できて大きな鉛直方向の引張り力に起因する積層ゴム免震支承装置の損壊の虞をなくし得、而して、アスペクト比の大きい構造物にも積層ゴム免震支承装置を用いることができる上に、構造が簡単であって安価に構成し得る積層ゴム免震支承装置の取付構造を提供することができる。
【００１７】
次に本発明を、図に示す好ましい実施の形態の例を参照して更に詳細に説明する。なお、本発明はこれらの例に何等限定されないのである。
【発明を実施するための最良の形態】
【００１８】
図１及び図２において、積層ゴム免震支承装置１を基礎２又は構造物３、例えば基礎２に取り付けるための本例の取付構造４は、積層ゴム免震支承装置１の一方の端面、本例では下端面５に当該下端面５の環状の外縁６の内側で複数のボルト７を介して固着された一方の取付板８と、積層ゴム免震支承装置１の下端面５の外縁６よりも外側で取付板８に複数のボルト１１を介して固着されていると共に取付板８に固着されている部位（複数のボルト１１による螺合部位）よりも内側であって下端面５の外縁６よりも内側において積層ゴム免震支承装置１の下端面５に対面する基礎２の取付面９に複数のアンカーボルト１０を介して固着されている他方の取付板１２とを具備している。
【００１９】
アスペクト比が大きい高層建築物からなる構造物３の鉛直方向の荷重を受けて当該構造物３を支持する積層ゴム免震支承装置１は、ゴム、減衰ゴム等からなる複数の粘弾性層２１と鋼板等からなる複数の剛性層２２とが互いに加硫接着されて交互に積層されている積層ゴム２３を有しており、剛性層２２は、下端面５側に配された厚肉鋼板からなる剛性層２５と、他方の端面である上端面２６側に配された厚肉鋼板からなる剛性層２７と、剛性層２５と剛性層２７との間に配された複数枚の薄肉鋼板からなる剛性層２８とからなり、斯かる積層ゴム免震支承装置１において、取付板８は積層ゴム２３の一方の端面でもある下端面５の剛性層２５に螺着されたボルト７を介して積層ゴム免震支承装置１の下端面５に固着されている。
【００２０】
夫々鋼板からなる取付板８と取付板１２とは互いに重ね合わされており、アンカーボルト１０は基礎２に埋設されている。
【００２１】
積層ゴム免震支承装置１は、その他方の端面である上端面２６に固着された更に他の取付板３１を介して構造物３の下面３２に固着されており、構造物３に埋め込まれた複数のスタッドボルト３３を介して構造物３に固着された鋼板からなる取付板３１は、ボルト又は加硫接着を介して、本例では複数のボルト３４を介して積層ゴム免震支承装置１の上端面２６に固着、より具体的には積層ゴム２３の上端面２６側の剛性層２７に螺着された複数のボルト３４を介して積層ゴム免震支承装置１の上端面２６に固着されている。
【００２２】
以上の取付構造４は、地震が生じて基礎２が水平方向Ｈに振動すると、斯かる基礎２の振動を積層ゴム２３に伝達することになり、積層ゴム２３はその粘弾性層２１を介して水平方向Ｈに剪断変形して基礎２の水平方向Ｈの振動に拘わらず構造物３を免震して支持する。
【００２３】
ところで、大きな地震又は風により構造物３が水平方向Ｈに振動すると共に構造物３のロッキングで基礎２から構造物３が浮き上がろうとして積層ゴム免震支承装置１の積層ゴム２３に一定以上の積層方向の引張り力が加えられようとすると、図３に示すように、取付板８は、積層ゴム２３の下端面５及び取付板１２への夫々の固着部（ボルト７及び１１の部位）を除く環状の部分３５で変形を生じて取付板１２から離反する一方、取付板１２もまた、基礎２の取付面９及び取付板８への夫々の固着部（アンカーボルト１０及びボルト１１の部位）を除く環状の部分３６で変形を生じて基礎２の取付面９から離反し、積層ゴム免震支承装置１の積層ゴム２３に一定以上の積層方向の引張り力が加えられられないようにする。
【００２４】
このように取付板８は、積層ゴム免震支承装置１に一定以上の積層方向の引張り力が加えられようとする場合、積層ゴム免震支承装置１の下端面５及び取付板１２への夫々の固着部を除く部分３５で変形を生じて取付板１２から離反するような剛性を有しており、取付板１２もまた、積層ゴム免震支承装置１に一定以上の積層方向の引張り力が加えられようとする場合、基礎２の取付面９及び取付板８への夫々の固着部を除く部分３６で変形を生じて基礎２の取付面９から離反するような剛性を有している。
【００２５】
以上の取付構造４によれば、積層ゴム免震支承装置１の下端面５の外縁６よりも外側で取付板８に固着されている取付板１２が取付板８に固着されている部位よりも内側において積層ゴム免震支承装置１の下端面５に対面する基礎２の取付面９に固着されている結果、大きな力で構造物３が基礎２から離反するように浮き上がる際に、両取付板８及び１２の相互の固着部位が上方に移動できるため、取付板８及び１２の曲げ剛性を利用し得て、取付板８における積層ゴム２３の下端面５への固着部位と取付板１２への固着部位との間の部分３５及び取付板１２における基礎２の取付面９への固着部位と取付板８への固着部位との間の部分３６に容易に変形を生じさせることができ、而して、この変形により積層ゴム２３へ大きな鉛直方向の引張り力が作用することを防止でき、しかも、大きな鉛直方向の引張り力の積層ゴム２３への作用を重ね合わされた取付板８及び１２でもって防止できる結果、構造が簡単であって安価に構成し得る。
【００２６】
ところで積層ゴム免震支承装置１としては、図４に示すような積層ゴム免震支承装置１でもよく、斯かる積層ゴム免震支承装置１は、ゴム、減衰ゴム等からなる複数の粘弾性層２１と鋼板等からなる複数の剛性層２２とが互いに加硫接着されて交互に積層されていると共に積層方向に伸びた円柱状の中空部４１を有した積層ゴム２３と、積層ゴム２３の中空部４１に充填された鉛プラグ４２とを有しており、鉛プラグ４２を有した積層ゴム免震支承装置１を用いることにより地震、風等などに起因する構造物３の水平方向Ｈの振動を可及的に速やかに減衰できるので好ましい。
【００２７】
また図４に示すように、取付構造４は、取付板１２に加えて取付板５１を更に具備していてもよく、この場合、取付板５１は、当該取付板５１に螺合した複数のボルト５２を介して積層ゴム免震支承装置１の下端面５の外縁６よりも内側で取付板１２に固着されている一方、積層ゴム免震支承装置１の下端面５に対面する基礎２の取付面９に下端面５の外縁６よりも外側で複数のアンカーボルト１０を介して固着されており、而して、積層ゴム免震支承装置１の下端面５の外縁６よりも外側で取付板８にボルト１１を介して固着されている取付板１２は、取付板８に固着されている部位よりも内側において積層ゴム免震支承装置１の下端面５に対面する基礎２の取付面９にボルト５２及び取付板５１を介して固着されることになる。
【００２８】
図４に示すように取付板１２に加えて取付板１２に重ね合わされた取付板５１を更に具備している取付構造４によれば、積層ゴム免震支承装置１に一定以上の積層方向の引張り力が加えられようとする場合、取付板８及び１２の変形に加えて取付板５１の同様の変形を得ることができる結果、積層ゴム２３への大きな鉛直方向の引張り力の作用をより確実に防止できる。
【００２９】
取付板８は、積層ゴム２３の下端面５側が剛性層２２に代えて粘弾性層２１からなる場合には、斯かる粘弾性層２１への加硫接着を介して積層ゴム免震支承装置１の下端面５に加硫接着されて固着されていてもよく、取付板３１も同様であって、積層ゴム２３の上端面２６側が剛性層２２に代えて粘弾性層２１からなる場合には、粘弾性層２１への加硫接着を介して積層ゴム免震支承装置１の上端面２６に加硫接着されて固着されていてもよい。
【００３０】
また上記例では取付構造４を基礎２及び積層ゴム免震支承装置１の間に介在させたが、これに代えて若しくはこれと共に構造物３及び積層ゴム免震支承装置１の間に介在させてもよく、更に、上記では積層ゴム免震支承装置１並びに取付板８、１２、３１及び５１の夫々を円柱状並びに円盤状に構成したが、本発明はこれらに限定されず角柱状並びに角板状（四角及び多角形を含む）に構成してもよい。
【図面の簡単な説明】
【００３１】
【図１】本発明の好ましい実施の形態の一例の断面図である。
【図２】図１に示すＩＩ−ＩＩ線矢視断面説明図である。
【図３】図１に示す例の動作説明図である。
【図４】本発明の好ましい実施の形態の他の例の断面図である。
【符号の説明】
【００３２】
１  積層ゴム免震支承装置
２  基礎
３  構造物
４  取付構造
５  下端面
６  外縁
７  ボルト
８  取付板
９  取付面
１０  アンカーボルト
１１  ボルト
１２  取付板
【図１】
0004631274.tif 000002
【図２】
0004631274.tif 000003
【図３】
0004631274.tif 000004
【図４】
0004631274.tif 000005